(57)【要約】【課題】本発明は、便利に開けることができるコネクタ蓋体構造及びこれを用いる電子装置を提供することを目的とする。【解決手段】本発明に係るコネクタ蓋体構造は、保護蓋と、前記保護蓋にリリース可能に係止される当接手段と、前記当接手段に係止される押圧手段と、前記保護蓋に装着されるトーションバネと、を備える。前記押圧手段を押圧すると、前記当接手段が前記押圧手段に押し退けられて押圧方向に直交して前記保護蓋から離れて移動し、さらに前記保護蓋がリリースされれば、前記保護蓋は前記トーションバネが提供する捩り力により自動的に開く。【選択図】図４
2011071082.tif 000002
【特許請求の範囲】
【請求項１】
保護蓋と、
前記保護蓋にリリース可能に係止される当接手段と、
前記当接手段に係止される押圧手段と、
前記保護蓋に装着されるトーションバネと、
を備え、前記押圧手段を押圧すると、前記当接手段が前記押圧手段に押し退けられて押圧方向に直交して前記保護蓋から離れて移動し、さらに前記保護蓋がリリースされれば、前記保護蓋は前記トーションバネが提供する捩り力によって、自動的に開くことを特徴とするコネクタ蓋体構造。
【請求項２】
前記押圧手段は楔形端を有する操作部を含み、前記当接手段には前記楔形端にマッチングする楔形壁を有する買通孔が開設され、前記操作部は前記貫通孔を通して前記当接手段から露出することを特徴とする請求項１に記載のコネクタ蓋体構造。
【請求項３】
前記保護蓋に係止アームが設置されていて、前記当接手段に前記係止アームと互いに係合する当接端が設置されていることを特徴とする請求項１又は２に記載のコネクタ蓋体構造。
【請求項４】
前記保護蓋の一端には各々中部に軸穴が設けられた二つの回転部が設置され、該コネクタ蓋体構造はさらに両端がそれぞれ前記二つの軸穴に装着する固定軸を備えることを特徴とする請求項１〜３のいずれか一項に記載のコネクタ蓋体構造。
【請求項５】
前記保護蓋の内表面に二つ凸状の条状部が形成されていて、前記トーションバネが前記固定軸に装着されていて、且つ部分的に前記二つの条状部の間に位置づけられたことを特徴とする請求項４に記載のコネクタ蓋体構造。
【請求項６】
本体と該本体に装着されるコネクタ蓋体構造とを備える電子装置であって、前記コネクタ蓋体構造は、
保護蓋と、
前記保護蓋にリリース可能に係止される当接手段と、
前記当接手段に係止される押圧手段と、
前記保護蓋に装着されるトーションバネと、
を備え、前記押圧手段を押圧すると、前記当接手段が前記押圧手段に押し退けられて押圧方向に直交して前記保護蓋から離れて移動し、さらに前記保護蓋がリリースされれば、前記保護蓋は前記トーションバネが提供する捩り力によって、自動的に開くことを特徴とする電子装置。
【請求項７】
前記押圧手段は楔形端を有する操作部を含み、前記当接手段には前記楔形端にマッチングする楔形壁を有する買通孔が開設され、前記操作部は前記貫通孔を通して前記当接手段から露出することを特徴とする請求項６に記載の電子装置。
【請求項８】
前記本体は底壁を有し、前記底壁上に二つの位置決めピン、二つのガイドブロック及び１つの固定ピンが設置されていて、前記押圧手段が前記位置決めピンに係合され、前記当接手段が前記二つのガイドブロックと前記固定ピンとを介して位置づけられることを特徴とする請求項６又は７に記載の電子装置。
【請求項９】
前記保護蓋の一端には二つの回転部が設置され、前記底壁に前記二つの回転部に対応する二つの収容部が設置され、各収容部の対向側に前記回転部を装着する用の収容凹槽が形成されることを特徴とする請求項７又は８に記載の電子装置。
【請求項１０】
前記本体はさらに前記底壁に直交して連結する側壁を含み、該側壁上にスロットを有する位置決めブロックが設置され、前記トーションバネは前記スロット内に収納される縦部を含むことを特徴とする請求項７〜９のいずれか一項に記載の電子装置。
【発明の詳細な説明】
【技術分野】
【０００１】
本発明は、コネクタ蓋体構造及びこれを用いる電子装置に関するものである。
【背景技術】
【０００２】
最近、移動電話、個人携帯情報端末（Ｐｅｒｓｏｎａｌ  Ｄｉｇｉｔａｌ  Ａｓｓｉｓｔａｎｃｅ）等の電子装置には、多種のコネクタポートが配置されている。例えば、ＵＳＢポートである。前記ＵＳＢポートは接続端子として、キーボード、マウス、モデム、移動メモリ設備等の電子装置のＵＳＢ端子に電気接続してデータを伝送する。前記ＵＳＢポートは、常に外界に暴露しているため、塵、水分、異物等が附着し易い。従って、前記ＵＳＢポートが侵食されて、電子装置の使用性能に影響するという不都合がある。
【０００３】
以上の問題を解決するために、保護蓋でＵＳＢポートを覆う。ところが、前記保護蓋を開ける場合、ユーザーは指で前記保護蓋を挟んで抜き出すため、操作が非常に不便である。 
【発明の概要】
【発明が解決しようとする課題】
【０００４】
以上の問題点に鑑みて、本発明は、便利に開けることができるコネクタ蓋体構造及びこれを用いる電子装置を提供することを目的とする。
【課題を解決するための手段】
【０００５】
本発明に係るコネクタ蓋体構造は、保護蓋と、前記保護蓋にリリース可能に係止される当接手段と、前記当接手段に係止される押圧手段と、前記保護蓋に装着されるトーションバネと、を備える。前記押圧手段を押圧すると、前記当接手段が前記押圧手段に押し退けられて押圧方向に直交して前記保護蓋から離れて移動し、さらに前記保護蓋からリリースされれば、前記保護蓋は前記トーションバネが提供する捩り力により自動的に開く。
【０００６】
本発明に係る電子装置は、本体と該本体に装着されるコネクタ蓋体構造とを備える。前記コネクタ蓋体構造は、保護蓋と、前記保護蓋にリリース可能に係止される当接手段と、前記当接手段に係止される押圧手段と、前記保護蓋に装着されるトーションバネと、を備える。前記押圧手段を押圧すると、前記当接手段が前記押圧手段に押し退けられて押圧方向に直交して前記保護蓋から離れて移動し、さらに前記保護蓋がリリースされれば、前記保護蓋は前記トーションバネが提供する捩り力によって、自動的に開く。
【発明の効果】
【０００７】
本発明に係るコネクタ蓋体構造において、互いに係止される押圧手段と当接手段とを利用して、前記押圧手段を押圧すると、前記当接手段は保護蓋から離脱することになる。この時、前記保護蓋に設置されたトーションバネを介して、前記保護蓋を自動的に開かせる。本発明のコネクタ蓋体構造において、保護蓋を開け易く、操作が簡単である。
【図面の簡単な説明】
【０００８】
【図１】本発明の実施形態に係る電子装置の組立図である。
【図２】本発明の実施形態に係る電子装置の立体分解図である。
【図３】図１に示す電子装置の別の視角からの組立図である。
【図４】図１に示す電子装置の保護蓋が閉じている場合のＩＶ−ＩＶに沿った断面図である。
【図５】図１に示す電子装置の保護蓋が開いている場合のＩＶ−ＩＶに沿った断面図である。
【発明を実施するための形態】
【０００９】
以下、本発明の実施形態に係るコネクタ蓋体構造及びこれを用いる電子装置について図面を参照しながら詳細に説明する。
【００１０】
図１を参照すると、本実施例のコネクタ蓋体構造１００は、移動電話、ＰＤＡ等の電子装置に用いられる。本実施例において、移動電話２０を例として説明する。
【００１１】
前記移動電話２０は、本体２２及び該本体２２に装着されているコネクタ蓋体構造１００を備える。前記コネクタ蓋体構造１００は、前記移動電話２０の電源入力ポート、マイクロホン出力ポート及びＵＳＢポート等のコネクタポートを保護することに用いられ、保護蓋１１０、押圧手段１２０、当接手段１３０、開放手段１４０及びストッパー手段１５０を備える。
【００１２】
図２及び図３を参照すると、前記本体２２は、底壁２２０及び該底壁２２０に直交するように連接する側壁２３０を含む。前記底壁２２０には、前記移動電話２０に設置されたコネクタポートを露出させるための開口部２２１と押しボタン用穴２２２とが開設されている。前記底壁２２０の前記開口部２２１の一端には、互いに対称の２つの位置決めピン２２３、２つのガイドブロック２２４及び１つの固定ピン２２５が設置されており、且つ全て熱融溶にて前記底壁２２０に固定したものである。前記２つのガイドブロック２２４は、前記２つの位置決めピン２２３に近接して設置され、且つ前記２つのガイドブロック２２４の間のピッチが前記２つの位置決めピン２２３の間のピッチより小さい。前記ガイドブロック２２４は、一体形成されたガイド部２２４２とフック部２２４４とからなり、前記ガイド部２２４２が、前記底壁２２０に直交するように突設される。前記２つのガイドブロック２２４のフック部２２４４は、対向設置される。
【００１３】
前記底壁２２０の前記開口部２２１の他端には、２つの収容部２２６が対称的に突設されており、且つ各収容部２２６に対向する一側には、収容凹槽２２７が設置されている。前記側壁２３０には、前記位置決めピン２２３とほぼ同一平面に位置するストッパーピン２３２が設置されている。前記側壁２３０の前記収容部２２６に近接する所には、略正方体であり且つスロット２３６が開設されている位置決めブロック２３４が設置されている。
【００１４】
前記保護蓋１１０は、前記開口部２２１を遮蔽することに用いられ、前記開口部２２１から露出するコネクタポートが外界の塵、水分や異物等に侵食されないようにする。前記保護蓋１１０の内表面の中部には、２つの凸状の条状部１１２が平行に設置されている。前記保護蓋１１０の内表面の一端に近接する所には、略「Ｌ」字状の係止アーム１１４が前記保護蓋１１０の内表面に直交するよう設置されており、他端には、軸穴１１８を有する２つの回転部１１６が対称に突設されている。前記２つの回転部１１６は、それぞれ前記２つの収容凹槽２２７に収納される。
【００１５】
前記押圧手段１２０は、プラスチックからなり、一体成型された操作部１２２及びロック部１２４を含む。前記操作部１２２は、押圧端１２１及び楔形端１２３を有する。前記押圧端１２１が前記押しボタン用穴２２２を貫いているため、ユーザーが前記押圧端１２１を容易に押すことができる（図３を参照）。前記ロック部１２４は、弧状本体１２４０を含み、該弧状本体１２４０の中部は前記楔形端１２３の末端に連結し、前記弧状本体１２４０の両端には、それぞれ円柱状の係合部１２４２が延伸している。前記係合部１２４２には、前記位置決めピン２２３に係合するための係止穴１２４４が開設されている。
【００１６】
前記当接手段１３０は、前記押圧手段１２０と係合し、且つ前記保護蓋１１０に係合する。前記当接手段１３０もプラスチックからなり、主体部１３２と当接部１３４を含む。前記主体部１３２は、略楕円状の筐体であり、前記当接部１３４から離れている一端には、ロック穴１３６が開設された係合部１３２０が設置されている。前記ロック穴１３６は、前記固定ピン２２５に装着できる。前記当接部１３４は、段を有し、第一段目は、前記保護蓋１１０の係止アーム１１４に係合する当接端１３４０であって、第二段目には、１つの楔形壁１３９を有する貫通孔１３８が開設されている。前記貫通孔１３８の位置は、前記押しボタン用穴２２２に対応し、前記楔形壁１３９は、前記操作部１２２の楔形端１２３にマッチングする。
【００１７】
前記開放手段１４０は、前記保護蓋１１０を自動的に開かせることに用いられ、固定軸１４２及び該固定軸１４２に装着されたトーションバネ１４４を含む。前記固定軸１４２の両端は、それぞれ前記保護蓋１１０の２つの軸穴１１８に装着できる。前記トーションバネ１４４は、一本のワイヤからなり、縦部１４４０と水平部１４４２を含む。前記縦部１４４０は前記スロット２３６に装着される。前記水平部１４４２の末端は屈曲されてフック部を形成する。前記水平部１４４２のフック部は、１つの条状部１１２に当接され、前記水平部１４４２のフック部に対向する部分は、もう１つの条状部１１２に当接される。
【００１８】
前記ストッパー手段１５０は、「Ｌ」字型を呈し、互いに直交する固定板１５２及び当接板１５４を備え、前記押圧手段１２０の押圧高度を限定することに用いられる。前記固定板１５２には、前記ストッパーピン２３２を貫かせるストッパー穴１５６が開設されている。前記当接板１５４は、押圧される前記押圧手段１２０を止めることに用いられる。
【００１９】
図４及び図５に示すように、前記コネクタ蓋体構造１００を前記移動電話２０の本体２２に組立てる場合、まず、前記当接手段１３０を前記底壁２２０に設置して、前記固定ピン２２５が前記ロック穴１３６を貫き、前記当接部１３４が前記２つのガイドブロック２２４の間を通過し、前記当接部１３４の貫通孔１３８が前記押しボタン用穴２２２に対応し、前記２つのフック部２２４４が前記当接部１３４の２つの側壁に当接する。次に、前記押圧手段１２０を前記当接手段１３０の上に設置して、前記ロック部１２４の弧状本体１２４０が前記当接部１３４の上に設置され、前記２つの位置決めピン２２３がそれぞれ前記ロック部１２４の係合部１２４２の２つの係止穴１２４４を貫き、前記操作部１２２が前記当接部１３４の貫通孔１３８及び前記押しボタン用穴２２２を貫いて、前記操作部１２２の楔形端１２３が前記貫通孔１３８の楔形壁１３９に当接する。次に、前記ストッパーピン２３２を前記ストッパー手段１５０の固定板１５２のストッパー穴１５６に係止して、前記ストッパー手段１５０の当接板１５４を前記押圧手段１２０の一側に設置させる。次に、前記トーションバネ１４４を前記固定軸１４２に装着してから、前記固定軸１４２の両端をそれぞれ前記保護蓋１１０の軸穴１１８内に装着して、前記開放手段１４０を前記保護蓋１１０に装着する。最後に、前記保護蓋１１０の２つの回転部１１６を前記本体２０の収容凹槽２２７内に装着して、前記トーションバネ１４４の縦部１４４０と水平部１４４２がそれぞれ前記スロット２３６と前記２つの凸状の条状部１１２の間に固定され、前記保護蓋１１０が前記開口部２２１を覆うとともに、前記係止アーム１１４が前記当接手段１３０を変形させて、前記当接手段１３０が前記固定ピン２２５の方向へ後退し、前記当接手段１３０が変形回復すると、その当接端１３４０は前記係止アーム１１４に係止される。このように、前記コネクタ蓋体構造１００を前記移動電話２０の本体２２に組立てる。
【００２０】
前記保護蓋１１０を開く場合、前記押圧手段１２０の押圧端１２１を押圧すると、前記操作部１２２の楔形端１２３が前記当接手段１３０の主体部１３２を押すため、前記主体部１３２が変形して前記保護蓋１１０から遠ざかる方向へ移動するとともに、前記当接手段１３０の当接端１３４０が前記保護蓋１１０の係止アーム１１４から離脱する。この時、前記トーションバネ１４４の捩り力によって、前記保護蓋１１０は自動的に開き、前記移動電話２０のコネクタポートが露出する。
【００２１】
また、前記押圧手段１２０と前記当接手段１３０とを一体成型することができ、両者の接触面が斜度を有する楔形面であれば、前記押圧手段１２０を押圧すると、水平方向の分力が生じる。
【００２２】
また、前記当接部１３４は、プライヤのような構造を有してもよく、従って前記保護蓋１１０の係止アーム１１４を挟む。
【００２３】
また、前記開放手段１４０の固定軸１４２を省略することができ、前記保護蓋１１０に前記トーションバネ１４４を固定するための固定槽を配置して、前記保護蓋１１０と前記本体２２とを回転可能に連接する。
【００２４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２５】
２０  移動電話
２２  本体
１００  コネクタ蓋体構造
１１０  保護蓋
１１２  条状部
１１４  係止アーム
１１６  回転部
１１８  軸穴
１２０  押圧手段
１２１  押圧端
１２２  操作部
１２３  楔形端
１２４  ロック部
１３０  当接手段
１３２  主体部
１３４  当接部
１３６  ロック穴
１３８  貫通孔
１３９  楔形壁
１４０  開放手段
１４２  固定軸
１４４  トーションバネ
１５０  ストッパー手段
１５２  固定板
１５４  当接板
１５６  ストッパー穴
２２０  底壁
２２１  開口部
２２２  押しボタン用穴
２２３  位置決めピン
２２４  ガイドブロック
２２５  固定ピン
２２６  収容部
２２７  収容凹槽
２３０  側壁
２３２  ストッパーピン
２３４  位置決めブロック
２３６  スロット
１２４０  弧状本体
１２４２  係合部
１２４４  係止穴
１３２０  係合部
１３４０  当接端
１４４０  縦部
１４４２  水平部
２２４２  ガイド部
２２４４  フック部
【図１】
2011071082.tif 000003
【図２】
2011071082.tif 000004
【図３】
2011071082.tif 000005
【図４】
2011071082.tif 000006
【図５】
2011071082.tif 000007